(57)【要約】【課題】本発明は、軽量化を図ると共にパーミング操作し易いリール固定装置を提供することを課題とする。【解決手段】本発明に係るリール固定装置４は、少なくても中指ｆ３、薬指ｆ４、小指ｆ５を下方から宛がって握る筒状のリールシート本体１０を備え、リールシート本体１０は、下面から下方に突出し、前面１７ａに薬指ｆ４が宛がわれるトリガ１７と、下面の一部であってトリガ１７よりも前側に位置し、中指ｆ３が宛がわれる第一面１５と、下面の一部であってトリガ１７よりも後側に位置し、小指ｆ５が宛がわれる第二面１８と、を備え、トリガ１７における第一面１５からの突出量は、薬指ｆ４の幅以内となっており、トリガ１７の前面１７ａは、下方に向うに連れて後方に位置するように傾斜し、第二面１８は、第一面１５よりも下方に位置していることを特徴とする。【選択図】図３
2020120593.tif 000002
【特許請求の範囲】
【請求項１】
少なくても中指、薬指、小指を下方から宛がって握る筒状のリールシート本体を備え、
前記リールシート本体は、
下面から下方に突出し、前面に前記薬指が宛がわれるトリガと、
下面の一部であって前記トリガよりも前側に位置し、前記中指が宛がわれる第一面と、
下面の一部であって前記トリガよりも後側に位置し、前記小指が宛がわれる第二面と、
を備え、
前記トリガにおける前記第一面からの突出量は、前記薬指の幅以内となっており、
前記トリガの前面は、下方に向うに連れて後方に位置するように傾斜し、
前記第二面は、前記第一面よりも下方に位置していることを特徴とするリール固定装置。
【請求項２】
前記リールシート本体は、側面の一部であって前記第二面から周方向に連続する小指当接用側面を備え、
前記小指当接用側面の前後方向の長さは、前記小指の幅よりも大きく形成されていることを特徴とする請求項１に記載のリール固定装置。
【発明の詳細な説明】
【技術分野】
【０００１】
本発明は、リール固定装置に関する。
【背景技術】
【０００２】
釣竿には、魚釣用リールを固定するリール固定装置が取り付けられている。リール固定装置は、固定フードが形成され釣竿に固定されるリールシート本体と、リールシートに移動可能に取り付けられた移動フードと、を備えている。
リール固定装置のうち、フード（固定フード、移動フード）が釣竿の上面側に配置される（釣竿の上面側に魚釣用リールが固定される）リール固定装置においては、キャスティング操作やパーミング操作の向上を図るため、リールシート本体から下方に突出するトリガが形成されている。
下記特許文献のトリガは、下方に大きく突出しており、人差し指から小指までの４つの手指を宛がうことができる。
【先行技術文献】
【特許文献】
【０００３】
【特許文献１】特開２００２−１７１７７４号公報
【発明の概要】
【発明が解決しようとする課題】
【０００４】
しかしながら、上記トリガの突出量が大きいことから、リール固定装置が重量化し、釣竿の操作性が低下した。また、トリガの下部に小指を宛がうため、手全体が下方寄りとなった。このため、親指がリールから離れ、パーミング操作し難かった。
【０００５】
本発明は、このような課題を解決するために創作されたものであり、軽量化を図ると共にパーミング操作し易いリール固定装置を提供することを課題とする。
【課題を解決するための手段】
【０００６】
前記課題を解決するため、本発明のリール固定装置は、少なくても中指、薬指、小指を下方から宛がって握る筒状のリールシート本体を備え、前記リールシート本体は、下面から下方に突出し、前面に前記薬指が宛がわれるトリガと、下面の一部であって前記トリガよりも前側に位置し、前記中指が宛がわれる第一面と、下面の一部であって前記トリガよりも後側に位置し、前記小指が宛がわれる第二面と、を備え、前記トリガにおける前記第一面からの突出量は、前記薬指の幅以内となっており、前記トリガの前面は、下方に向うに連れて後方に位置するように傾斜し、前記第二面は、前記第一面よりも下方に位置していることを特徴とする。
【０００７】
前記発明によれば、トリガの突出量が小さくリール固定装置が軽量化している。小指を宛がう第二面がトリガでなくリールシート本体となっているため、従来のものよりも手全体が上方に位置し、パーミング操作し易い。
【０００８】
また、前記発明によれば、トリガにおける第一面からの突出量が薬指の幅以内となっていることから、トリガの前面に宛がう薬指と第一面に宛がう中指とが離間しない。また、第二面が第一面よりも下方に位置するため、第二面に宛がう小指が下方に位置し、薬指と近接している。以上から、中指と薬指と小指におけるそれぞれの間隔が狭いため、中指と薬指と小指を同じように曲げて握ることができ、握り込む力を大きくすることができる。
【０００９】
また、前記発明によれば、第二面が第一面よりも下方に位置していることから、中指と小指を同じ高さとなるように握った場合、釣竿の竿先が下方に垂れる。このため、手首を小指側に曲げなくても竿先を垂らすことができ、手首にかかる負担が軽減される。
また、トリガの前面が下方に向うに連れて後方に傾斜していることから、長時間握っても痛みが生じ難い。
【００１０】
また、前記発明において、前記リールシート本体は、側面の一部であって前記第二面から周方向に連続する小指当接用側面を備え、前記小指当接用側面の前後方向の長さは、前記小指の幅よりも大きく形成されていることが好ましい。
【００１１】
前記構成によれば、第二面から回り込んだ小指が小指当接用側面に宛がわれるようになる。よって、異種物品（例えばリールシート本体とグリップ）に跨って小指が宛がわれることがなく、握り易い。
【発明の効果】
【００１２】
以上から、軽量化が図られているとともにパーミングし易いリール固定装置を提供することができる。
【図面の簡単な説明】
【００１３】
【図１】実施形態に係るリール固定装置及び釣竿の一部を左側から視た左側面図である。
【図２】リール固定装置のリールシート本体を拡大した側面図である。
【図３】釣竿の使用状態を示す側面図である。
【発明を実施するための形態】
【００１４】
実施形態のリール固定装置４を備えた釣竿１について図面を参照しながら説明する。以下の説明において、「前後」「上下」を言うときは図１に示した方向を基準とする。
【００１５】
図１に示すように、釣竿１は、前後方向に延在する竿杆２と、竿杆２の後部を被覆する筒状のグリップ３と、竿杆２の後部であってグリップ３の前側に取り付けられたリール固定装置４と、を備えている。
リール固定装置４は、魚釣用リール１００を固定するための装置であり、固定フード１６とトリガ１７が形成されたリールシート本体１０と、リールシート本体１０の前部に取り付けられた移動フード２０と、を備えている。
【００１６】
リールシート本体１０は、竿杆２の中心軸Ｏ１方向に延在する略円筒状の樹脂部品である。リールシート本体１０の内部に竿杆２が挿入され、リールシート本体１０が竿杆２に嵌合している。また、リールシート本体１０と竿杆２との間には接着剤が塗布され、リールシート本体１０が竿杆２に固定している。
【００１７】
リールシート本体１０は、移動フード２０が取り付けられる本体前部１１と、後述する載置面１４が形成された本体中間部１２と、固定フード１６が形成された本体後部１３と、を備えている。また、本体中間部１２と本体後部１３は、パーミング操作する側の手で握る部位となっており（図３参照）、握ることが可能な外径に形成されている。
【００１８】
本体前部１１の外周面には、ねじ溝（不図示）が形成されている。
本体中間部１２の上面には、略水平な載置面１４が形成されている。載置面１４は、魚釣用リール１００の取付脚１０１の下面を当接させ、取付脚１０１を載置するための部位である。また、リールシート本体１０を握った場合、本体中間部１２の下面には、人差し指ｆ２を宛がう人指し用面１２ａと、中指ｆ３を宛がう第一面１５とが形成されている（図３参照）。
【００１９】
図２に示すように、本体後部１３の上面には、固定フード１６が形成されている。固定フード１６は、載置面１４よりも上方に突出しているとともに、前方に向って開口する係止孔１６ａが形成されている。
本体後部１３の下面には、トリガ１７と第二面１８が形成されている。トリガ１７は、本体中間部１２の第一面１５や第二面１８よりも下方に突出している。第二面１８は、トリガ１７の後側に連続する下面である。リールシート本体１０を握った場合、薬指ｆ４をトリガ１７の前面１７ａに宛がい、小指ｆ５を第二面１８に宛がうようになっている（図３参照）。なお、人指し用面１２ａ、第一面１５、トリガ１７、第二面１８等の詳細については後述する。
【００２０】
図１に示すように、移動フード２０は、操作つまみ部２１と、操作つまみ部２１の後側に配置されるフード部２２とを備えている。
操作つまみ部２１は、円筒状を呈し、内部にリールシート本体の本体前部１１が配置されている。
操作つまみ部２１の内周面にねじ溝（不図示）が形成され、本体前部１１のねじ溝と螺合している。そして、操作つまみ部２１を中心軸Ｏ１回りに回転させると、操作つまみ部２１が前後方向に案内される。
フード部２２は、円筒状を呈し、内部をリールシート本体１０が貫通している。フード部２２は、操作つまみ部２１に対し、中心軸Ｏ１回りに回転自在に連結している。フード部２２の上部の後面には、後方に向って開口する係止孔２３が形成されている。
【００２１】
魚釣用リール１００の取り付け方法は、魚釣用リール１００の取付脚１０１を載置面１４に載置し、取付脚１０１の後部を固定フード１６の係止孔１６ａに挿入する。次いで、操作つまみ部２１を回転し移動フード２０を後方に移動させることで、取付脚１０１の前部がフード部２２の係止孔２３内に挿入し、魚釣用リール１００がリール固定装置４に固定される。
また、操作つまみ部２１を回転し移動フード２０を前方に移動させると、移動フード２０と取付脚１０１の前部との係合が解除され、魚釣用リール１００を取り外すことができる。
次に人指し用面１２ａ、第一面１５、トリガ１７、第二面１８等の詳細について説明する。
【００２２】
図２に示すように、第一面１５は、載置面１４の後部の下方に位置している。第一面１５の前後方向の中央部は、中心軸Ｏ１の方に僅かに窪んでおり、第一面１５に宛がわれる中指ｆ３が収まり易くなっている。また、第一面１５における前後方向の中央部と中心軸Ｏ１との距離はＬ１に設定されている。
人指し用面１２ａは、第一面１５の前側に位置し、前方に向うに連れて中心軸Ｏ１から離間するように傾斜している。
【００２３】
トリガ１７の前面１７ａは、下方に向うに連れて後方に位置するように傾斜する傾斜面となっている。トリガ１７の前面１７ａと中心軸Ｏ１との傾斜角度θ１は、１２５°〜１３５°となっている。
また、トリガ１７の後面１７ｂも傾斜面となっており、上方に向うに連れて後方に位置するようになっている。
また、トリガ１７の前面１７ａのうち第一面１５に連続する前部１７ｄは、緩やかに湾曲し、逆Ｒ形状となっている。同様に、トリガ１７の後面１７ｂのうち第二面１８に連続する後部１７ｅは、緩やかに湾曲し、逆Ｒ形状となっている。
【００２４】
第二面１８は、トリガ１７の後面１７ｂに連続している。第二面１８の前後方向の中央部は、中心軸Ｏ１の方に僅かに窪んでおり、第二面１８に宛がわれる小指ｆ５が収まり易くなっている。また、第二面１８における前後方向の中央部と中心軸Ｏ１との距離はＬ２に設定されている。
【００２５】
第二面１８と中心軸Ｏ１との距離Ｌ２は、第一面１５と中心軸Ｏ１との距離Ｌ１よりも長い。よって、中心軸Ｏ１を水平とした場合、第二面１８は、第一面１５よりも下方に位置する。
【００２６】
トリガ１７における第一面１５からの突出量Δ１は、薬指ｆ４の幅よりも僅かに小さく形成されている。このため、トリガ１７の前面１７ａに当てることができる手指は一つだけ（薬指ｆ４だけ）となっている。
また、トリガ１７における第二面１８からの突出量Δ２は、小指ｆ５の厚みよりも僅かに小さく形成されている。
なお、リール固定装置４が成人男性用の場合、トリガ１７における第一面１５からの突出量Δ１は、大凡１０．０〜１２．０ｍｍ程度、トリガ１７における第二面１８からの突出量Δ２は、大凡６．０〜７．０ｍｍ程度である。また、リール固定装置４が女性用又は子供用の場合、突出量Δ１及びΔ２は前記した値よりも小さく形成される。
【００２７】
トリガ１７の頂部１７ｃと固定フード１６の係止孔１６ａの底部（魚釣用リール１００の取付脚１０１の後端）との中心軸Ｏ１方向の距離Ｌ３は、大凡４．５〜６．５ｍｍ程度となっている。
【００２８】
トリガ１７の頂部１７ｃと本体後部１３の後端との中心軸Ｏ１方向の距離Ｌ４は、小指ｆ５の幅よりも長くなるように形成されている。
以下において、本体後部１３の左側面であって第二面１８と周方向に連続する部位を小指当接用側面１９と称する。
なお、リール固定装置４が成人男性用の場合、距離Ｌ４は、大凡２０．０〜２３．０ｍｍ程度であり、女性用又は子供用の場合には、これよりも小さい値に形成される。
【００２９】
次に実施形態のリール固定装置４の握り方について図３を参照しながら説明する。なお、図３において、リール固定装置４を右手で握る状態が描いてあるが、本発明は左手で握ってもよい。
【００３０】
図３に示すように、人差し指ｆ２、中指ｆ３、薬指ｆ４及び小指ｆ５を折り曲げた状態しに、人差し指ｆ２、中指ｆ３、薬指ｆ４及び小指ｆ５の第二関節付近をリールシート本体１０の下面に宛がう。
より詳細に説明すると、人差し指ｆ２の第二関節付近を人指し用面１２ａに宛がい、中指ｆ３の第二関節付近を第一面１５に宛がい、薬指ｆ４の第二関節付近をトリガ１７の前面１７ａに宛がい、小指ｆ５の第二関節付近を第二面１８に宛がう。
また、人差し指ｆ２、中指ｆ３、薬指ｆ４及び小指ｆ５の末節部をリールシート本体１０の左側面１０ａに宛がう（小指ｆ５の末節部は小指当接用側面１９に宛がう）。これにより、４つの手指によりリールシート本体１０を下方から包むように握ることができる。
また、パーミング操作を行うため、親指ｆ１は、魚釣用リール１００の後部の上側に位置するように配置する。
【００３１】
以上、実施形態によれば、トリガ１７の突出量Δ１が従来のものよりも小さい。よって、リール固定装置４が軽量化しており、釣竿１の操作性が向上する。
また、小指ｆ５を宛がう面（第二面１８）は、トリガ１７でなくリールシート本体１０の方に形成され、手全体が従来よりも上方に位置する。よって、親指ｆ１が魚釣用リール１００の上部近傍に配置されるようになり、パーミング操作がし易くなる。
【００３２】
また、トリガ１７における第一面１５からの突出量Δ１は薬指ｆ４の幅より小さく形成されているため、第一面１５に宛がう中指ｆ３とトリガ１７の前面１７ａに宛がう薬指ｆ４とが密着した状態で握ることができる。
さらに、トリガ１７における第二面１８からの突出量Δ２は、小指ｆ５の厚みよりも僅かに小さく形成されているため、トリガ１７の前面１７ａに宛がう薬指ｆ４と第二面１８に宛がう小指ｆ５とを近接させて握ることができる。
以上から、中指ｆ３と薬指ｆ４と小指ｆ５におけるそれぞれの間隔が狭く、中指ｆ３と薬指ｆ４と小指ｆ５を同じように曲げて握ることができ、握り込む力を大きくすることができる。
【００３３】
また、第一面１５よりも第二面１８の方が中心軸Ｏ１から離間しているため（Ｌ２＞Ｌ１）、中指ｆ３と小指ｆ５の第二関節付近を同じ高さとした場合、釣竿１は水平状態とならず、釣竿１の竿先が下方に垂れる（図３の矢印Ａ１参照）。このため、手首Ｗを小指ｆ５側（図３の矢印Ａ２の方向）に曲げなくても竿先を垂らすことができ、手首Ｗにかかる負担を軽減できる。よって、船釣り等のキャスティングを行わない釣り（直下に仕掛けを落とすような釣り）に適している。
【００３４】
また、トリガ１７の前面１７ａが後方に傾斜していることから、長時間握っても痛みが生じ難い。また、トリガ１７の前面１７ａに薬指ｆ４が引っ掛かっていることから、釣竿１が手から抜け難い。また、魚に引っ張られても薬指ｆ４に対する圧迫感が低減されている。
【００３５】
また、トリガ１７の前部１７ｄと後部１７ｅが逆Ｒ形状となっているため、長時間握っても痛みが生じ難くなっている。
【００３６】
また、固定フード１６の係止孔１６ａの底部とトリガ１７との距離Ｌ３が上記した所定距離となっていることから、親指ｆ１が魚釣用リール１００の上部近傍に配置され、パーミング操作し易い。
また、トリガ１７の頂部１７ｃと本体後部１３の後端との中心軸Ｏ１方向の距離Ｌ４は、小指ｆ５の幅よりも長くなるように形成されている。よって、小指ｆ５の末節部は、小指当接用側面１９のみに当接するようになっている。このため、小指ｆ５が本体後部１３とグリップ３との両方に跨って当接し違和感が生じる、ということが回避される。
【００３７】
以上、実施形態について説明したが、本発明は上記した例に限定されない。
実施形態で挙げた突出量Δ１、Δ２や距離Ｌ３、Ｌ４における具体的な数値範囲は例示である。よって、本発明は、上記した作用効果を損なわない範囲で突出量Δ１等の数値を範囲外となるように形成したリール固定装置であってもよい。
また、本発明においては、小指ｆ５の末節部が小指当接用側面１９とグリップ３とに跨って宛がうようなものであってもよい。
【符号の説明】
【００３８】
１      釣竿
２      竿杆
３      グリップ
４      リール固定装置
１０    リールシート本体
１１    本体前部
１２    本体中間部
１２ａ  人指し用面
１３    本体後部
１５    第一面
１６    固定フード
１７    トリガ
１７ａ  前面
１８    第二面
１９    小指当接用側面
２０    移動フード
１００  魚釣用リール
【図１】
2020120593.tif 000003
【図２】
2020120593.tif 000004
【図３】
2020120593.tif 000005